(57)【要約】      （修正有）【課題】表示面が延伸可能な発光ナンバープレートフレームを提供する。【解決手段】フレーム体１と、二つの延伸板２と、二つの発光モジュールとからなる。二つの延伸板２は、フレーム体１両端の下方における開口からスライドしてフレーム体１下方に組合されるとともに、フレーム体１に設けられた第一溝孔と延伸板に設けられた第二溝孔が対応してボルトによって固定される。前記発光モジュールは、延伸板２の背面にそれぞれ設けられ、前記発光モジュールから生じた光は、前記延伸板の表面から照射される。【選択図】図２
0003191643.tif 000002
【実用新案登録請求の範囲】
【請求項１】
フレーム体と、二つの延伸板と、二つの発光モジュールとからなる、表示面が延伸可能な発光ナンバープレートフレームであって、
前記フレーム体は、周囲が閉じられた矩形フレームをなすとともに、下方における相対する両端にそれぞれ開口が形成され、
前記フレーム体の内縁には、複数の耳部が設けられ、前記耳部はそれぞれ第一溝孔を有し、
二つの前記延伸板は、透光可能な材料から作られるとともに、前記フレーム体における第一溝孔の位置とそれぞれ対応する複数の第二溝孔が設けられ、
更に前記延伸板は、前記フレーム体の開口からスライドして前記フレーム体下方に組合され、
二つの前記発光モジュールは、前記延伸板の背面にそれぞれ設けられ、
前記発光モジュールから生じた光は、前記延伸板の表面から照射されることを特徴とする、表示面が延伸可能な発光ナンバープレートフレーム。
【請求項２】
前記第二溝孔の長さは、前記第一溝孔よりも長く設けられることを特徴とする、請求項１に記載の表示面が延伸可能な発光ナンバープレートフレーム。
【請求項３】
前記発光モジュールは、導光板と、電子回路板と、前記電子回路板に設けられた少なくとも一つの発光部品とからなり、
前記電子回路板は、前記発光部品から生じた光線が前記導光板の側辺から前記導光板内へと誘導されるように、前記導光板の一側辺に取り付けられることを特徴とする、請求項１に記載の表示面が延伸可能な発光ナンバープレートフレーム。
【請求項４】
前記発光部品は、ＬＥＤ（発光ダイオード）であることを特徴とする、請求項３に記載の表示面が延伸可能な発光ナンバープレートフレーム。
【考案の詳細な説明】
【技術分野】
【０００１】
本考案は、装飾ナンバープレートフレームの構造に関し、特にナンバープレートフレームの左右両側が延長・縮小可能な表示面を有するとともに、発光効果を備えた、表示面が延伸可能な発光ナンバープレートフレームに関する。
【背景技術】
【０００２】
人間の身分証と同様に、ナンバープレートは、車両を認識するための最も分かりやすい身分証明である。公共機関が発行するナンバープレートは、いずれも短い幾つかの数字や文字しかなく、数字や文字の内容が異なることを除けば、ほとんどの様式は大同小異である。よって、ナンバープレートにおいて他人と異なる個性的なスタイルを表現したいという一部使用者の希望に応じるため、ナンバープレート装飾に関する各種の設計が登場した。
【０００３】
例えば、ナンバープレートフレームに発光・反射・蛍光の設計を加えたり、ナンバープレート上の文字に蛍光・反射の効果を加たりといった構造がある。しかし、この種の設計は、ナンバープレートの内容の判別を困難にしてしまう。犯罪者が警察の追跡から逃れるために、この種の装飾を悪用することを防止するため、政府は新たな交通法令を発布し、ナンバープレートにおいてナンバープレートの内容を遮蔽する装飾を加えてはならないことを定めた。
【０００４】
よって、本考案者は、一組の第一フレーム体と、一組の第二フレーム体と、一組の発光部品とからなる、組合せ型発光ナンバープレートフレームの構造についての特許を取得した（中華民国特許第Ｍ４４９０９５号明細書に開示）。前記第一フレーム体と第二フレーム体は、それぞれ対応する結合部と係止部が組合されて互いにしっかりと結合される。前記組合せ型発光ナンバープレートフレームの構造は、ナンバープレートと組み合わせて、ナンバープレート外縁に装飾効果を加えることができる。更に電子回路を適切に設けることにより、ナンバープレートフレームによる安全のための警告効果を備えることも可能である。
【０００５】
しかし、より個性的であることを求める使用者にとって、前述の発光ナンバープレートフレームは、新しさと変化への要求を満たすことはできない。
【先行技術文献】
【特許文献】
【０００６】
【特許文献１】中華民国特許第Ｍ４４９０９５号明細書
【考案の概要】
【考案が解決しようとする課題】
【０００７】
本考案は、長さが延伸・縮小するとともに、より変化に富んだ使用を可能にする、表示面が延伸可能な発光ナンバープレートフレームを提供することを目的とする。
【０００８】
また本考案は、延伸可能なナンバープレートフレームにおいて発光効果を加えることにより、装飾及び安全のための警告効果を備えることができる、表示面が延伸可能な発光ナンバープレートフレームを提供することを目的とする。
【課題を解決するための手段】
【０００９】
本考案は、ナンバープレートフレームのフレーム体における両端下面に透光可能な延伸板がそれぞれ設けられ、延伸板はフレーム体に対してスライド移動が可能であるため、延伸板を制御してフレーム体の長さを伸縮させることが可能であり、更に延長部分とフレーム体を合わせた全長を調整するとともに、フレーム体と延伸板に設けられた溝孔にボルトを貫設して、ナットで螺合することを特長とする。
【００１０】
また本考案は、透光可能な延伸板の背面に発光モジュールが設けられることにより、均一に発光するとともに、光線が延伸板を貫くことで発光する延伸板が形成されることを特長とする。
【００１１】
本考案は、フレーム体と、二つの延伸板と、二つの発光モジュールとからなる。このうちフレーム体は、周囲が閉じられた矩形フレームをなすとともに、下方における相対する両端にそれぞれ開口が形成される。前記フレーム体の内縁には、複数の耳部が設けられ、耳部はそれぞれ第一溝孔を有する。二つの前記延伸板は、透光可能な材料から作られる。また前記延伸板には、前記フレーム体における第一溝孔の位置とそれぞれ対応する複数の第二溝孔が設けられる。前記延伸板は、前記フレーム体の開口からスライドして前記フレーム体下方に組合される。前記発光モジュールは、延伸板の背面にそれぞれ設けられる。また発光モジュールから生じた光は、前記延伸板の表面から照射されて、発光する延伸板を形成する。
【００１２】
延伸板のフレーム体に対する移動距離をより長くするため、本考案の延伸板における第二溝孔の長さは、フレーム体の第一溝孔よりも長く設けられる。
【００１３】
本考案の発光モジュールは、導光板と、電子回路板と、前記電子回路板に設けられた少なくとも一つの発光部品とからなる。前記電子回路板は、導光板の一側辺に取り付けられることにより、発光部品から生じた光が導光板の側辺から導光板内へと誘導されるため、導光板の平面に均一な発光効果が生じる。
【００１４】
また本考案における前記発光部品には、省エネ、耐用年数、体積が小さくスペースの取り付けが容易であることを考慮して、ＬＥＤ（発光ダイオード）を用いる。
【考案の効果】
【００１５】
以上の構造により、使用者は自分の好みに合わせて、ナンバープレートフレームの左右両側における延伸板によって表示面を延長・縮小させることができる。更に延伸板の正面には、絵柄の描かれた透光可能な紙を貼り付けられる。加えて、発光モジュールが生じる発光効果により、変化に富んだ装飾効果を加えたり、安全のための警告をしたりすることが可能である。
【図面の簡単な説明】
【００１６】
【図１】本考案のフレーム体と延伸板とナンバープレートの組合せ構造を示した斜視分解図である。
【図２】本考案のフレーム体と延伸板とナンバープレートを組合せた様子を示した斜視図である。
【図３】本考案のフレーム体と延伸板とナンバープレートを組合せた構造を示した断面図である。
【図４】図３の右側エリアの詳細な構造を示した部分断面図である。
【図５】本考案のフレーム体の構造を示した俯瞰図である。
【図６】本考案の二つの延伸板とフレーム体の組合せ構造を示した平面分解図である。
【図７】本考案の二つの延伸板とフレーム体を組合せた様子を示した平面図である。
【考案を実施するための形態】
【００１７】
図１から図５までを参照する。本考案の表示面が延伸可能な発光ナンバープレートフレームは、フレーム体１と、二つの延伸板２と、二つの発光モジュール４とからなることが望ましい。このうち、フレーム体１は、一般的なナンバープレートの形状に対応するように周囲が閉じられた矩形フレームをなすとともに、フレーム体１の両側には側壁が設けられ、もう一方の両端には側壁は設けられず開口１３がそれぞれ形成される。フレーム体１の内縁には、複数の耳部１１が設けられ、耳部１１はそれぞれ第一溝孔１２を有する。第一溝孔１２は、ナンバープレート３と組合せるために用いられる。ナンバープレート３は、一般的に四つの角の位置に四つの第三溝孔３１が設けられているため、本考案におけるフレーム体１の内縁には、四つの第三溝孔３１と対応する位置に四つの耳部１１が設けられ、それぞれの耳部１１には第三溝孔３１と対応するように第一溝孔１２が設けられる。
【００１８】
本考案のフレーム体１は、中華民国特許第Ｍ４４９０９５号明細書に開示されている組合せ型フレーム体構造、或いは一体成型によってなる矩形フレームの従来のナンバープレートフレーム体である。
【００１９】
本考案の二つの延伸板２は、透光可能な材料（例えば、アクリル、強化ガラス等）から作られる。また延伸板２には、フレーム体１における第一溝孔１２の位置とそれぞれ対応する複数の第二溝孔２１が設けられる。延伸板２は、フレーム体１の開口１３からスライドしてフレーム体１下方に組合される（図６を参照）。延伸板２の正面は、実際の需要に応じて適切な造形に設けられる。また延伸板２の正面には、透光可能且つ絵柄の描かれた紙を貼合することもできる。延伸板２がフレーム体１下方にスライドして組合される時、第二溝孔２１は、第一溝孔１２の位置と対応し（図７を参照）、更にナンバープレート３を取り付ける時、同時に第三溝孔３１の位置にも対応する。よって、ボルト（図示せず）を第一溝孔１２・第二溝孔２１・第三溝孔３１に対応させて貫設した後、ナット（図示せず）でボルトを螺合することにより、フレーム体１と延伸板２とナンバープレート３を固定することができる。延伸板２がフレーム体１から延伸する長さを調節したい時は、前述のナット或いはボルトを緩めて、延伸板２をフレーム体１から延伸するべき長さに移動させてから、ナット或いはボルトを締めればよい。
【００２０】
本考案の発光モジュール４は、延伸板２の背面にそれぞれ設けられることにより、発光モジュール４から生じた光が延伸板２の表面に照射されて均一に発光される。発光モジュール４は、導光板４１と、電子回路板４２と、電子回路板４２に設けられた少なくとも一つの発光部品４３とからなることが望ましい。また発光部品４３は、ＬＥＤ（発光ダイオード）であることが望ましい。発光モジュール４は延伸板２の背面に設けられる際、導光板４１が延伸板２背面に固定され、電子回路板４２が導光板４１の一側辺に固定されるため、発光部品４３から生じた光線が導光板４１側辺から導光板４１内へと導かれた後、光線が直射・反射・屈折して導光板４１の出光面（正面）から照射し、均一に発光する。
【符号の説明】
【００２１】
１            フレーム体
１１   耳部
１２   第一溝孔
１３   開口
２            延伸板
２１   第二溝孔
３            ナンバープレート
３１   第三溝孔
４            発光モジュール
４１   導光板
４２   電子回路板
４３   発光部品
【図１】
0003191643.tif 000003
【図２】
0003191643.tif 000004
【図３】
0003191643.tif 000005
【図４】
0003191643.tif 000006
【図５】
0003191643.tif 000007
【図６】
0003191643.tif 000008
【図７】
0003191643.tif 000009